(57)【要約】【課題】鍋を加熱する加熱手段が動作していない状態で省電力状態にする炊飯器において、使用者の意思に応じ省電力状態にできるようにする。【解決手段】加熱手段４を駆動手段５により駆動して鍋３を加熱し、制御手段７により炊飯器の動作を制御し、通電切換手段１２により商用電源１を直流電力に変換する電源回路６の出力の全てあるいは電源回路６の出力の一部が停止する省電力モードとするよう構成する。使用者が操作する複数のキーからなる入力手段１０の操作により通電切換手段１２を動作させて省電力モードとなるよう構成する。【選択図】図１
2006129914.tif 000002
【特許請求の範囲】
【請求項１】
鍋と、前記鍋を加熱する加熱手段と、前記加熱手段を駆動する駆動手段と、商用電源を直流電力に変換する電源回路と、前記電源回路の出力の全てあるいは電源回路の出力の一部が停止する省電力モードとする省電力手段と、炊飯器の動作を制御する制御手段と、使用者が操作する複数のキーからなる入力手段とを備え、前記入力手段の操作により前記省電力手段を動作させて省電力モードとなるよう構成した炊飯器。
【請求項２】
入力手段は、第１の入力手段と第２の入力手段とを有し、前記第１の入力手段は省電力手段に入力し省電力モードにする専用入力手段とした請求項１記載の炊飯器。
【請求項３】
入力手段は、第１の入力手段と第２の入力手段とを有し、前記第１の入力手段は、省電力手段およびそれ以外にも入力し、省電力モードにする専用入力手段以外の機能を有する請求項１記載の炊飯器。
【請求項４】
省電力手段への入力手段の入力法は、入力手段の他のキーの入力法と異なるようにした請求項１〜３のいずれか１項に記載の炊飯器。
【請求項５】
制御手段は、所定の状態でのみ省電力モードとするための入力手段からの入力を受け付けるようにした請求項１〜３のいずれか１項に記載の炊飯器。
【請求項６】
入力手段からの入力を受け付けたことを報知する報知手段を備え、前記報知手段は、省電力手段への入力手段からの入力を受け付けたとき、専用の報知音で報知するようにした請求項１〜３のいずれか１項に記載の炊飯器。
【請求項７】
表示動作をする表示手段を備え、前記表示手段は、炊飯器が省電力モードであることを使用者が判別できる表示を行うようにした請求項１〜３のいずれか１項に記載の炊飯器。
【発明の詳細な説明】
【技術分野】
【０００１】
本発明は、鍋を加熱する加熱手段が動作していない状態で省電力状態にする炊飯器に関するものである。
【背景技術】
【０００２】
従来、炊飯器は、商用電源に接続されたままで商用電源と炊飯器を切り離すことで省エネルギーに優れた炊飯器を提供している（例えば、特許文献１参照）。
【０００３】
図１４は、特許文献１に記載された従来の炊飯器のブロック図である。以下、その構成について説明する。
【０００４】
図１４に示すように、鍋３は米と水を入れ、この鍋３を加熱手段４により加熱し、この加熱手段４を駆動手段５により駆動する。電源回路６は商用電源１から炊飯器本体内の回路が動作するための電源を発生するものであり、制御手段７は炊飯器の動作を制御するものである。入力手段８は、炊飯や保温やタイマー予約といった動作を外部から操作するものである。バックアップ手段９は、制御手段７に電源回路６から電力が供給されないときに制御手段７を動作させる電力を供給するものである。通電切換手段Ａ１１は、商用電源１から炊飯器本体内部の回路を通電可能もしくは停止に切り換えることができるようにしたものである。
【０００５】
上記構成において動作を説明する。炊飯器が商用電源１に接続された状態では、「炊飯状態」「保温状態」「待機状態」、「タイマー予約待機状態」といった状態に分けることができる。この中で、「炊飯状態」と「保温状態」で制御手段７は予め決定されているシーケンスに基づき、駆動手段５に信号を供給し加熱手段４を駆動して鍋３を加熱する。しかしながら、「待機状態」や「タイマー予約待機状態」といった状態では、上記のように加熱手段４を駆動して鍋３を加熱する必要はなく、制御手段７は入力手段８からの信号入力を待っているか、タイマー炊飯の開始時間をカウントしているのみである。
【０００６】
このような状態では、制御手段７は一定時間同じ状態が続いたのを確認すると、通電切換手段Ａ１１に停止信号を出力し、商用電源１からの通電を停止する。以上のように炊飯器は待機状態やタイマー予約待機状態といった商用電源１からの電力供給が不要となった場合、自動的に炊飯器本体と商用電源１を切り離し、不要な通電を行わないことで消費される電力を削減している。
【特許文献１】特開２００１−１８５３２７号公報
【発明の開示】
【発明が解決しようとする課題】
【０００７】
しかしながら、このような従来の炊飯器では、予め定められた特定の状態が一定時間以上続かない限り省電力状態にならないので、使用者の意思で直ちに省電力状態にできず、機器が自動的に省電力状態に至るまでは不要なエネルギーを消費し続けるという問題を有していた。
【０００８】
本発明は上記従来の課題を解決するもので、使用者の意思に応じ省電力状態にできるようにすることを目的とする。
【課題を解決するための手段】
【０００９】
本発明は上記目的を達成するために、加熱手段を駆動手段により駆動して鍋を加熱し、制御手段により炊飯器の動作を制御し、省電力手段により商用電源を直流電力に変換する電源回路の出力の全てあるいは電源回路の出力の一部が停止する省電力モードとするよう構成し、使用者が操作する複数のキーからなる入力手段の操作により省電力手段を動作させて省電力モードとなるよう構成したものである。
【００１０】
これによって、使用者は使用者自身の操作により炊飯器を省電力状態にすることができ、不要なエネルギー消費を防止することができる。
【発明の効果】
【００１１】
本発明の炊飯器は、予め定められた特定の状態が一定時間以上続かなくとも、使用者の意思で省電力状態にでき、機器が自動的に省電力状態に至るまでの不要なエネルギー消費を防止することができる。
【発明を実施するための最良の形態】
【００１２】
第１の発明は、鍋と、前記鍋を加熱する加熱手段と、前記加熱手段を駆動する駆動手段と、商用電源を直流電力に変換する電源回路と、前記電源回路の出力の全てあるいは電源回路の出力の一部が停止する省電力モードとする省電力手段と、炊飯器の動作を制御する制御手段と、使用者が操作する複数のキーからなる入力手段とを備え、前記入力手段の操作により前記省電力手段を動作させて省電力モードとなるよう構成したものであり、使用者が入力手段を操作することで省電力手段を動作させて、商用電源を直流電力に変換する電源回路の出力の全てあるいは電源回路の出力の一部を停止する省電力モードとすることができ、使用者の意思に応じ省電力状態にでき、不要なエネルギー消費を防止することができる。
【００１３】
第２の発明は、上記第１の発明において、入力手段は、第１の入力手段と第２の入力手段とを有し、前記第１の入力手段は省電力手段に入力し省電力モードにする専用入力手段としたものであり、省電力モードにするために操作すべき入力手段を明確にすることができる。
【００１４】
第３の発明は、上記第１の発明において、入力手段は、第１の入力手段と第２の入力手段とを有し、前記第１の入力手段は、省電力手段およびそれ以外にも入力し、省電力モードにする専用入力手段以外の機能を有するものであり、入力手段の増加を抑えることができ、入力手段の占有スペースの増加を防止できるとともに経済的に安価な入力手段を構成することができる。
【００１５】
第４の発明は、上記第１〜３のいずれか１つの発明において、省電力手段への入力手段の入力法は、入力手段の他のキーの入力法と異なるようにしたものであり、使用者が誤って省電力モードにするのを防止することができる。
【００１６】
第５の発明は、上記第１〜３のいずれか１つの発明において、制御手段は、所定の状態でのみ省電力モードとするための入力手段からの入力を受け付けるようにしたものであり、炊飯中や保温中などの炊飯器が動作をしている状態において使用者が誤って省電力モードにするのを防止することがすることができる。
【００１７】
第６の発明は、上記第１〜３のいずれか１つの発明において、入力手段からの入力を受け付けたことを報知する報知手段を備え、前記報知手段は、省電力手段への入力手段からの入力を受け付けたとき、専用の報知音で報知するようにしたものであり、使用者は省電力モードになったことを報知音で認識することができる。
【００１８】
第７の発明は、上記第１〜３のいずれか１つの発明において、表示動作をする表示手段を備え、前記表示手段は、炊飯器が省電力モードであることを使用者が判別できる表示を行うようにしたものであり、省電力モードであるかどうかを使用者は表示手段により確認することができる。
【００１９】
以下、本発明の実施の形態について、図面を参照しながら説明する。なお、この実施の形態によって本発明が限定されるものではない。
【００２０】
（実施の形態１）
図１は、本発明の実施の形態１における炊飯器のブロック図を示すものである。
【００２１】
図１に示すように、鍋３は米と水を入れ、この鍋３を加熱手段４により加熱し、この加熱手段４を駆動手段５により駆動する。電源回路６は商用電源１から炊飯器本体内の回路が動作するための電源を発生するものであり、制御手段７は炊飯器の動作を制御するものである。
【００２２】
入力手段１０は、炊飯や保温やタイマー予約といった動作を外部から操作するもので、この入力手段１０は第１の入力手段１３と第２の入力手段１４とを有している。通電切換手段（省電力手段）１２は、１２は制御手段７からの信号により電源回路６から駆動手段５へ供給される電力を通電もしくは停止するものである。
【００２３】
ここで、入力手段１０の操作により通電切換手段１２を動作させて省電力モードとなるよう構成し、第１の入力手段１３は通電切換手段１２に入力し省電力モードにする専用入力手段としている。
【００２４】
また、通電切換手段１２への入力手段の入力法は、第１の入力手段１３の受付時間を図４（ａ）に示すように１．０秒とし、第２の入力手段１４の受付時間を図４（ｂ）に示すように０．１秒とするように第１の入力手段１３と第２の入力手段１４の受付時間に差異を設けている。
【００２５】
また、制御手段７は、所定の状態（待機モード）でのみ省電力モードとするための第１の入力手段１３からの入力を受け付けるようにしている。
【００２６】
図２は、本実施の形態における炊飯器の操作部であり、第１の入力手段１３であるキー２２と、第２の入力手段１４であるキー２１、キー２３、キー２４で構成している。
【００２７】
上記構成において図３および図４を参照しながら動作を説明する。
【００２８】
使用者は、図２で示す操作部を操作することで制御手段７へ信号を入力し、所定の動作を行わせる。入力手段１０への入力による制御手段７の動作は、図３に示すように、まず、ステップ３１で使用者がキー操作をしたか否かの判断を行い、キー操作がなければステップ４０でキー受付時間を０としてキー受付時間を初期化する。一方、ステップ３１でキー操作があると判断するとステップ３２に進み、現在の動作モードを確認する。
【００２９】
ステップ３２では動作モードが待機モードであればステップ３３へ進み、待機モードでなければステップ３８へ進む。ステップ３３では使用者が操作したキーがキー２２であればステップ３４に進み、キー２２以外であればステップ３６に進む。ステップ３４ではキー２２のキー受付時間が１秒以上であればステップ３５に進み、キー受付時間が１秒未満であればステップ３９に進みキー受付時間の加算処理を行った後次の処理へ進む。ステップ３６では待機モードでキー２４が操作されたか否かを判断する。
【００３０】
キー２４は待機モード以外での有効キーとしており、待機モードでキー２４が操作されていればキー操作を無効とするためステップ４０に進み、キー受付時間を０秒とする。キー２４以外、すなわちキー２１もしくはキー２３が操作されていればステップ３７へ進む。ステップ３７ではキー受付時間により判断を行い、キー受付時間が０．１秒以上であればキーを受け付けるためステップ３５に進み、０．１秒未満であればステップ３９に進みキー受付時間を加算する。
【００３１】
ステップ３８では操作されたキーが待機モード以外での唯一の有効キーであるキー２４であるかどうかを判断し、キー２４であればステップ３７へ進むがキー２４以外であれば無効であるのでステップ４０でキー受付時間の初期化を行う。ステップ３５では使用者が操作したキーの受付を確定する。例えば、キー２１の受付が確定したのであれば炊飯モードに入る処理を行う。
【００３２】
以上のように、本実施の形態においては、第１の入力手段１３の操作により通電切換手段１２を動作させて省電力モードとなるよう構成したので、使用者が第１の入力手段１３を操作することで通電切換手段１２を動作させて、商用電源１を直流電力に変換する電源回路６の出力の全てあるいは電源回路６の出力の一部を停止する省電力モードとすることができ、使用者の意思に応じ省電力状態にでき、不要なエネルギー消費を防止することができる。
【００３３】
また、第１の入力手段１３は通電切換手段１２に入力し省電力モードにする専用入力手段としたので、省電力モードにするために操作すべき入力手段を明確にすることができる。
【００３４】
また、通電切換手段１２への第１の入力手段１３の入力法は、第１の入力手段１３の受付時間を１．０秒とし、第２の入力手段１４の受付時間を０．１秒とするように第１の入力手段１３と第２の入力手段１４の受付時間に差異を設けることにより、使用者が誤って省電力モードにするのを防止することができる。
【００３５】
また、制御手段７は、待機モードでのみ省電力モードとするための第１の入力手段１３からの入力を受け付けるようにしたので、炊飯中や保温中などの炊飯器が動作をしている状態において使用者が誤って省電力モードにするのを防止することがすることができる。
【００３６】
なお、本実施の形態では、第１の入力手段１３の受付時間を１．０秒とし、第２の入力手段１４の受付時間を０．１秒としたが、特に１．０秒や０．１秒でなくともよい。また、第１の入力手段１３の受付可能な動作モードを待機モードのみとしたが特に待機モードでなくともよい。
【００３７】
（実施の形態２）
図５は、本発明の実施の形態２における炊飯器のブロック図を示すものである。
【００３８】
図５に示すように、入力手段１０は、第１の入力手段１３と第２の入力手段１４とを有し、第１の入力手段１３は、第２の入力手段１４の一部を構成し、通電切換手段（省電力手段）１２およびそれ以外にも入力し、省電力モードにする専用入力手段以外の機能を有している。すなわち、図６に示すように、第２の入力手段１４の一構成要素であるキー２５が取消／切キーと第１の入力手段１３である省電力キーに割り付けがなされている。他の構成は上記実施の形態１と同じであり、同一符号を付して説明を省略する。
【００３９】
上記構成において図４および図７を参照しながら動作を説明する。
【００４０】
使用者は図６で示す炊飯器の操作部を操作することで制御手段７へ信号を入力し、炊飯器に所定の動作を行わせる。入力手段１０への入力による制御手段７の動作は、図７に示すように、まずステップ７１で使用者がキー操作をしたか否かの判断を行い、キー操作がなければステップ７９でキー受付時間を０としてキー受付時間を初期化する。一方、ステップ７１でキー操作があると判断するとステップ７２に進み、現在の動作モードを確認する。
【００４１】
ステップ７２では動作モードが待機モードであればステップ７３へ進み、待機モードでなければステップ７７へ進む。ステップ７３では使用者が操作したキーがキー２５であれば、省電力キーである第１の入力手段１３としての操作であることからステップ７４に進む。一方、操作したキーがキー２５以外であればステップ７６に進む。
【００４２】
ステップ７４では、キー２５のキー受付時間が、図４（ａ）に示すように、１秒以上であればステップ７５に進み、キー受付時間が１秒未満であればステップ７８に進みキー受付時間の加算処理を行った後、つぎの処理へ進む。ステップ７７では、ステップ７４と同様に、キー受付時間による判断を行う。だだし、ステップ７４と異なるのは、図４（ｂ）に示すように、キー受付時間の判断基準が０．１秒である点である。すなわち、キー受付時間が０．１秒以上であればキーを受け付けるためステップ７５に進み、０．１秒未満であればステップ７８に進みキー受付時間を加算する。
【００４３】
ステップ７７では操作されたキーが待機モード以外での唯一の有効キーである取消／切キーとしてのキー２５であるかどうかを判断し、キー２５が操作されたのであればステップ７６へ進むが、キー２５が操作されたのでなければステップ７９でキー受付時間の初期化を行う。ステップ７５では使用者が操作したキーの受付を確定する。
【００４４】
以上のように、本実施の形態においては、省電力モードにするための第１の入力手段１３を備えることで、使用者が自らの意思で省電力モードにすることができるとともに、第１の入力手段１３は、通電切換手段１２およびそれ以外にも入力し、省電力モードにする専用入力手段以外の機能を有するので、入力手段１０の増加を抑えることができ、プリント配線板上における入力手段の占有スペースの増加を防止できるとともに、経済的に安価な入力手段を構成することができる。
【００４５】
また、図４に示すように、第１の入力手段１３の受付時間を１．０秒とし、第２の入力手段１４の受付時間を０．１秒とするように第１の入力手段１３と第２の入力手段１４の受付時間に差異を設けることにより、使用者が誤って省電力モードにすることを防止することがすることができる。
【００４６】
また、第１の入力手段１３の受付可能な動作モードを設けること、すなわち第１の入力手段１３の受付可能な動作モードを待機モードのみに限定することにより、炊飯中や保温中などの炊飯器が動作をしなければならない状態において使用者が誤って省電力モードにするのを防止することができる。
【００４７】
なお、本実施の形態において、第１の入力手段１３の受付時間を１．０秒とし第２の入力手段１４の受付時間を０．１秒としたが、特に１．０秒や０．１秒でなくともよい。また、第１の入力手段１３の受付可能な動作モードを待機モードのみとしたが特に待機モードでなくともよい。
【００４８】
（実施の形態３）
図８は、本発明の実施の形態３における炊飯器のブロック図を示すものである。
【００４９】
図８に示すように、報知手段１５は、入力手段１０からの入力を受け付けたことを報知するもので、この報知手段１５は、通電切換手段（省電力手段）１２への入力手段１０からの入力を受け付けたとき、専用の報知音で報知するようにしている。他の構成は上記実施の形態１と同じであり、同一符号を付して説明を省略する。
【００５０】
上記構成において図９および図１０を参照しながら動作を説明する。
【００５１】
使用者が入力手段１０を操作し、制御手段７が入力手段１０からの入力を受け取ると制御手段７は使用者が入力した内容に応じて報知手段１５を駆動し、使用者に入力を受け付けた旨を報知する。このときの動作を図９に示すフローチャートにより説明する。
【００５２】
まず、ステップ９１で制御手段７が受け付けた入力が第１の入力手段１３であるかどうかの判断を行う。第１の入力手段１３からの入力を受け付けたのであったならステップ９２へ進み、第１の入力手段１３からの入力を受け付けたのでなかったならステップ９３へ進む。ステップ９２とステップ９３はともに報知手段１５を駆動し報知音を出力する処理を行うが、ステップ９２とステップ９３で報知する報知音は互いに異なるものである。
【００５３】
ステップ９２では、図１０（ａ）に示す報知音（０．１秒報知、０．１秒オフ、０．１秒報知、０．１秒オフ０．１秒報知）パターンで出力する。一方、ステップ９３では、図１０（ｂ）に示す報知音（０．１秒報知）パターンで出力する。
【００５４】
以上のように、本実施の形態においては、入力手段からの入力を受け付けたことを報知する報知手段１５を設け、省電力モードにするための第１の入力手段１３からの入力を受け付けた場合の報知音を専用の報知パターンとすることにより、使用者は第１の入力手段１３を操作したことが報知音のみで認識することができ、省電力モードになったことを報知音で認識することができる。
【００５５】
（実施の形態４）
図１１は、本発明の実施の形態４における炊飯器のブロック図を示すものである。
【００５６】
図１１に示すように、表示手段１６は、制御手段７により制御され、炊飯器の動作状況に応じて所定の表示を行うものであり、この表示手段１６は、炊飯器の動作モードを示すモード表示部１７と、炊飯コースを示すコース表示部１８と、現在時刻や予約時刻や保温経過時間などの時刻および時間表示を行う時計表示部１９と、省電力モードであるかどうかを示す省電力表示部２０とで構成し、炊飯器が省電力モードであることを使用者が判別できる表示を行うようにしている。他の構成は上記実施の形態１と同じであり、同一符号を付して説明を省略する。
【００５７】
上記構成において図１２および図１３を参照しながら動作を説明する。
【００５８】
表示手段１６における表示処理は、各構成要素毎に行われる。すなわち、ステップ１２１ではモード表示部１７の表示処理を行い、続くステップ１２２ではコース表示部１８の表示処理を行い、ステップ１２３では時計表示部１９の表示処理を行い、ステップ１２４からステップ１２６で省電力表示部２０の表示を行う。ステップ１２４では動作モードを確認し、省電力モードであればステップ１２５へ進み省電力表示部２０を点灯する。一方、省電力モードでなければステップ１２６へ進み省電力表示部２０を消灯する。
【００５９】
つぎに、図１３を用い表示例を示す。表示手段１６の全表示要素は、図１３（ａ）に示す通りであり、例えば、炊飯器が商用電源１に接続されていない状態では、図１３（ｂ）に示すように、モード表示部１７は全て消灯し、メニュー表示部１８は全て点灯し、時計表示部１９は現在時刻を表示し、省電力表示部２０は消灯する。つぎに、例えば、炊飯器が商用電源１に接続され待機状態である場合には、図１３（ｃ）に示すように、モード表示部１７は全て消灯し、メニュー表示部１８はメニューの１つである白米が点灯し、時計表示部１９は現在時刻を表示し、省電力表示部２０は消灯する。
【００６０】
つぎに、例えば、炊飯器が省電力モードである場合には、図１３（ｄ）に示すように、省電力表示部２０のみ点灯し、モード表示部１７、メニュー表示部１８、時計表示部１９はすべては消灯する。つぎに、例えば、炊飯器が炊飯状態であれば、図１３（ｅ）に示すように、モード表示部１７は炊飯を点灯し、メニュー表示部１８は炊飯中のメニュー（本実施の形態では白米）を点灯し、時計表示部１９は現在時刻を表示し、省電力表示部２０は消灯する。
【００６１】
つぎに、例えば、炊飯器が予約炊飯の状態では、図１３（ｆ）に示すように、モード表示部１７は予約を点灯し、メニュー表示部１８は炊飯するメニューを点灯（本実施の形態では白米）を点灯し、時計表示部１９は予約時刻（炊飯を完了する時刻）を表示し、省電力表示部２０は消灯する。つぎに、例えば、炊飯器が保温の状態では、図１３（ｇ）に示すように、モード表示部１７は保温を点灯し、メニュー表示部１８は全て消灯し、時計表示部１９は保温を開始してからの経過時間を表示し、省電力表示部２０は消灯する。
【００６２】
以上のように、本実施の形態においては、表示手段１６は、炊飯器が省電力モードであることを使用者が判別できる表示を行うようにしたので、省電力モードであるかどうかを使用者は表示手段１６により確認することができる。
【００６３】
なお、本実施の形態では、省電力表示部２０は省電力モードにおいてのみ点灯表示するものとしたが、特に点灯するだけでなく、点滅表示としてもよい。また、表示手段１６には省電力モードにおいてのみ点灯表示する表示部を設けたが、特に省電力モードにおいてのみ点灯表示する表示部を設けなくともよく、省電力モードであることが使用者にわかる表示を行うものとすればよい。
【産業上の利用可能性】
【００６４】
以上のように、本発明にかかる炊飯器は、予め定められた特定の状態が一定時間以上続かなくとも、使用者の意思で省電力状態にでき、機器が自動的に省電力状態に至るまでの不要なエネルギー消費を防止することができるので、鍋を加熱する加熱手段が動作していない状態で省電力状態にする炊飯器として有用である。
【図面の簡単な説明】
【００６５】
【図１】本発明の実施の形態１における炊飯器のブロック図
【図２】同炊飯器の操作部の正面図
【図３】同炊飯器の要部動作フローチャート
【図４】（ａ）同炊飯器の第１の入力手段の受付タイムチャート（ｂ）同炊飯器の第２の入力手段の受付タイムチャート
【図５】本発明の実施の形態２における炊飯器のブロック図
【図６】同炊飯器の操作部の正面図
【図７】同炊飯器の要部動作フローチャート
【図８】本発明の実施の形態３における炊飯器のブロック図
【図９】同炊飯器の要部動作フローチャート
【図１０】（ａ）同炊飯器の報知音１を表すタイムチャート（ｂ）同炊飯器の報知音２を表すタイムチャート
【図１１】本発明の実施の形態４における炊飯器のブロック図
【図１２】同炊飯器の要部動作フローチャート
【図１３】（ａ）同炊飯器の表示手段の全表示要素の表示例を示す図（ｂ）炊飯器が商用電源に接続されていない状態の表示例を示す図（ｃ）炊飯器が待機状態である場合の表示例を示す図（ｄ）炊飯器が省電力モードである場合の表示例を示す図（ｅ）炊飯器が炊飯状態である場合の表示例を示す図（ｆ）炊飯器が予約炊飯の状態である場合の表示例を示す図（ｇ）炊飯器が保温の状態である場合の表示例を示す図
【図１４】従来の炊飯器のブロック図
【符号の説明】
【００６６】
１  商用電源
３  鍋
４  加熱手段
５  駆動手段
６  電源回路
７  制御手段
１０  入力手段
１２  通電切換手段（省電力手段）
【図１】
2006129914.tif 000003
【図２】
2006129914.tif 000004
【図３】
2006129914.tif 000005
【図４】
2006129914.tif 000006
【図５】
2006129914.tif 000007
【図６】
2006129914.tif 000008
【図７】
2006129914.tif 000009
【図８】
2006129914.tif 000010
【図９】
2006129914.tif 000011
【図１０】
2006129914.tif 000012
【図１１】
2006129914.tif 000013
【図１２】
2006129914.tif 000014
【図１３】
2006129914.tif 000015
【図１４】
2006129914.tif 000016